(57)【特許請求の範囲】
【請求項１】
二番車の二番真挿通孔のうち裏蓋側の周壁部が三番車の三番真のある領域における裏蓋側の主面部よりも突出している地板と、前記三番真を案内保持する三番真係合部を備え、針合わせの際に巻真の引出しに応じて前記三番車を前記二番車から外すべく前記地板の前記主面部に沿って回動される作動レバーとを有する針合わせ機構であって、
前記地板の突出した前記周壁部が一側に二番真を露出させる切欠部を備え、
前記作動レバーが、針合わせの際に前記巻真の引出しに応じて前記三番真係合部で前記三番車を前記二番車から外すときに前記地板の前記周壁部の前記切欠部から露出した前記二番真を押さえる二番真係合部を有する針合わせ機構。
【請求項２】
前記作動レバーは、前記三番真係合部及び前記二番真係合部が実質的に同一平面上に位置するように平板状である請求項１に記載の針合わせ機構。
【請求項３】
前記作動レバーは、前記巻真が押込まれた通常運針位置にある際に前記巻真と係合して前記巻真からの力を受ける入力側板ばね部と、前記入力側板ばね部が受ける力に起因するトルクと逆向きのトルクを常時作動レバーに付与すべくばね受けに係止された反力生成ばね部とを備える請求項１又は２に記載の針合わせ機構。
【請求項４】
前記二番真係合部が針合わせのために前記二番真の回転を規制する十分な程剛性の高い腕部で支えられている請求項３に記載の針合わせ機構。
【請求項５】
前記剛性の腕部が、Ｌ字状に曲がった腕部からなる請求項４に記載の針合わせ機構。
【請求項６】
前記二番真係合部と前記二番真との係合が発生していない状態では、三番かなと二番歯車とは、少なくとも部分的に係合されている請求項１から５までのいずれか一つの項に記載の針合わせ機構。
【請求項７】
前記巻真を針合わせ位置から通常運針位置に引出す際に、前記二番真係合部による前記二番真の押圧が解除される前に、前記三番かなが前記二番歯車の自由回転を規制するように構成されている請求項６に記載の針合わせ機構。
【請求項８】
前記三番真係合部が、前記三番真の端部を回転自在に支える軸受からなる請求項１から７までのいずれか一つの項に記載の針合わせ機構。
【請求項９】
前記作動レバーが電池の一方の端子に電気的に接続されたリセット端子として働くように構成されている請求項１から８までのいずれか一つの項に記載の針合わせ機構。
【請求項１０】
請求項１から９までのいずれか一つの項に記載の針合わせ機構を有するアナログ時計。
【発明の詳細な説明】
【技術分野】
【０００１】
本発明は針合わせ機構及び該機構を備えたアナログ時計に係わる。
【背景技術】
【０００２】
アナログ時計すなわち指針（時刻表示針）を備えた指針式時計において、時分針の位置を表示すべき時分位置に合わせる針合わせ（時刻修正）のために、分車と秒車との間にあって両車を連結している車（三番車）と分車との連結を絶つこと（特許文献１及び２等）、及び連結が絶たれた車（三番車）を規正することにより針合わせの間に外部衝撃によって秒針が振れるのを抑制すること（特許文献３及び４等）は、知られている。
【０００３】
しかしながら、これらの時計では、針合わせを終えて三番車と分車とを再度噛み合わせる際に二番歯車の歯と三番かなの歯の相対的な位置関係次第では分車が一歯分以上に回り、分針が針合わせした位置からずれてしまう虞れがある。
【０００４】
一方、針合わせを終えて三番車と分車とを再度噛み合わせる際に分車が回ってしまうのを避けるようにした時計も提案されている。
【０００５】
この提案の時計１０１の針合わせ機構１０２では、図６に示したように、地板１１１と輪列受１１２とにより支持され電池１０５で給電されたモータ１０６により駆動される運針輪列１０７や、巻真１０３のＡ１，Ａ２方向の出し入れに応じて中心軸線ＢのまわりでＢ１，Ｂ２方向に回動される作動レバーないし規制レバー（規正レバー）１３０を備える。作動レバー１３０は、ばね受１２１にばね部１３１の先端で当接し、被係合部１３２で巻真１０３の先端部１０４に係合可能である。作動レバー１３０は、また、レバー本体部１３３で三番車１４０の真（三番真）１４１の一端側の軸受（図示せず）を保持し、本体部１３３の中間部から分岐した細い弾性腕部１３４の先端に二番車１５０の二番歯車１５１の外周に対面した押圧係合部１３５を備える。
【０００６】
巻真１０３がＡ１方向に押込まれた通常運針位置すなわち巻真ゼロ段目位置ＰＡ１を採る場合、図６に加えて図７に示したように、作動レバー１３０は、被係合部１３２が巻真１０３の先端部１０４に係合してＢ１方向に回動された通常運針許容位置ＱＡ１を採る。この通常運針許容位置ＱＡ１では、三番真１４１のほぞ部で作動レバー本体部１３３の軸受部に回転自在に支持された三番かな１４２が二番歯車１５１に係合し、三番歯車１４３が四番車１６０のかな（四番かな）１６１に係合して、秒車（四番車）１６０の回転が三番車１４０を介して二番車１５０に伝えられる。なお、作動レバー１３０の通常運針許容位置ＱＡ１では、弾性腕部１３４の先端の押圧係合部１３５が二番歯車１５１の外周縁から離れた位置にある。
【０００７】
一方、時計１０１においては、巻真１０３がＡ２方向に一段引き出された巻真一段目位置ＰＡ２を採る場合、図８に示したように、巻真１０３の先端部１０４がＡ２方向に逃げて被係合部１３２への押圧力がなくなるので、ばね部１３１のばね力の作用下で作動レバー１３０がＢ２方向に回動された針合わせ位置ＱＡ２を採る。この針合わせ位置ＱＡ２では、三番真１４１で作動レバー本体部１３３に回転自在に支持された三番かな１４２が二番歯車１５１から外れるので、二番車（分車）１５０と秒車（四番車）１６０との回転の伝達が断たれる。
【０００８】
時計１０１の針合わせ機構１０２においては、この巻真１０３についての巻真一段目位置ないし針合わせ位置ＰＡ２すなわち作動レバー１３０についての針合わせ位置ＱＡ２では、巻真１０３のＥ１，Ｅ２方向の回転に応じて図示しないつづみ車や小鉄車を介して日の裏車１８０が回転され、該日の裏車１８０の回転に応じて時車（筒車）１７０及び分車（二番車）１５０が回転されて、時針１７５及び分針１５５が所定位置に設定される。
【０００９】
なお、この巻真一段目位置ないし針合わせ位置ＰＡ２，ＱＡ２では、弾性腕部１３４の先端の押圧係合部１３５が二番歯車１５１の外周縁に押付けられて該二番歯車１５１と係合する。より詳しくは、作動レバー１３０の押圧係合部１３５は、作動レバー１３０の回動角度と弾性腕部１３４の変形に伴うばね力ＦＡで多数の歯１５２からなる二番歯車１５１の少なくとも一つの歯１５２の先端に押付けられる。
【００１０】
すなわち、時計１０１では、針合わせの際において、弾性腕部１３４の先端の押圧係合部１３５が二番歯車１５１の外周縁に押付けられるところ、実際には、押圧係合部１３５が二番歯車１５１を構成する多数の歯１５２のうちの単一の歯１５２に当接しただけでは二番歯車１５１との係合が安定性を欠き、二番歯車１５１を構成する二つの隣接歯１５２，１５２の両方の先端に当接して初めて安定な係合が確立されるので、押圧係合部１３５による二番車１５０の規制のタイミングが遅れたりずれたりする虞れがある。
【００１１】
また、時計１０１では、針合わせの際に弾性腕部１３４の先端の押圧係合部１３５が二番歯車１５１の外周縁に押付けられるところ、針合わせの際には二番歯車１５１が回る必要があるので、弾性腕部１３４による押圧係合部１３５の押付力ＦＡは針合わせに支障をきたさないように小さく設定される必要があり、また、径のわりには薄い二番歯車１５１を変形させないように且つ二番車１５１の歯１５２を損傷させないように、押付力ＦＡは十分に小さく設定される必要もある。
【００１２】
更に、時計１０１の針合わせ機構１０２では、例えば、図８の（ｂ）からわかるように、作動レバー１３０の押圧係合部１３５は、作動レバー１３０の本体部１３３やばね部１３４が位置する面（地板１１１のうち輪列受１１２側を向いた面部分１１１ａのある時計１０１の厚さ方向部位）から立ち上がった立ち上がり部で二番歯車の１５１の歯の外周に押付けられるので、押付力が二番歯車１５１の延在面に対して斜交する向きになる虞れがあったり、二番歯車１５１その他の二番車１５０の部品を変形させないように作動レバー１３０のばね力を制御する必要がある。また、作動レバー１３０が立ち上がり部１３５の如き曲げ部等を備える必要があることから、部品形状が複雑化するのを避けがたく、他の部品と干渉するのを確実に避け得るように部品の寸法管理をする必要があり、コスト高を招く虞れもある。
【先行技術文献】
【特許文献】
【００１３】
【特許文献１】特開２００１−３４９９６６号公報
【特許文献２】特開平４−４０３９６号公報
【特許文献３】特開２００６−２３４４４０号公報
【特許文献４】特開２００６−２１４９２７号公報
【発明の概要】
【発明が解決しようとする課題】
【００１４】
本発明は、前記諸点に鑑みなされたものであって、その目的とするところは、構造の複雑化を最低限に抑えつつ、分車の回転の規制を確実に行い得る針合わせ機構及び該機構を備えたアナログ時計を提供することにある。
【課題を解決するための手段】
【００１５】
本発明の針合わせ機構は、前記目的を達成すべく、二番真挿通孔のうち裏蓋側の周壁部が三番真のある領域における裏蓋側の主面部よりも突出している地板と、三番車の三番真を案内保持する三番真係合部を備え、針合わせの際に巻真の引出しに応じて三番車を二番車から外すべく地板の前記主面部に沿って回動される作動レバーとを有する針合わせ機構であって、地板の突出した前記周壁部が一側に二番真を露出させる切欠部を備え、作動レバーが、針合わせの際に巻真の引出しに応じて三番真係合部で三番車を二番車から外すときに地板の前記周壁部の前記切欠部から露出した二番真を押さえる二番真係合部を有する。
【００１６】
本発明の針合わせ機構では、「地板の突出した前記周壁部が一側に二番真を露出させる切欠部を備え、作動レバーが、針合わせの際に巻真の引出しに応じて三番真係合部で三番車を二番車から外すときに地板の前記周壁部の前記切欠部から露出した二番真を押さえる二番真係合部を有する」ので、作動レバーの二番真係合部が二番真の円筒状周面に対して押付けられることによって、二番真を確実に押さえ得るから、構造の複雑化を最低限に抑えつつ、分車の回転の規制を確実に行い得る。すなわち、二番真係合部が押さえるのは、二番歯車のような歯部が外周にある凹凸部ではなく円筒状周面であるから、押圧に際して当接した箇所で確実に二番車を押さえ得る。また、二番真係合部が押さえるのは、二番歯車のような薄い円板ではないので、比較的強い力で押さえ得るから、分車の回転の規制を確実に行い得る。更に、二番真係合部が地板の突出した前記周壁部が一側に二番真を露出させる切欠部から露出した二番真の部分を押さえればよいので、二番真係合部が三番真係合部と同様に地板の裏蓋側主面に沿って実際上平板状に構成され得るので、作動レバーの構造が簡単化され得る。
【００１７】
ここで、二番真のうち切欠部から露出されるべき部分は、三番かな部と噛合する二番歯車部及び日の裏歯車部と噛合する二番かな部として機能する歯部になっていない部分であれば、比較的滑らかな表面を備えていても、摩擦係合され易いように粗面化されていても、該粗面形状が比較的大きい凹凸によって実現されていてもよい。作動レバーの二番真係合部についても同様である。
【００１８】
本発明の針合わせ機構では、典型的には、作動レバーは、三番真係合部及び二番真係合部が実質的に同一平面上に位置するように平板状である。
【００１９】
その場合、構造が簡単化され、分車の回転の規制を確実に行い易い。
【００２０】
本発明の針合わせ機構では、典型的には、作動レバーは、巻真が押込まれた通常運針位置にある際に巻真と係合して巻真からの力を受ける入力側板ばね部と、入力側板ばね部が受ける力に起因するトルクと逆向きのトルクを常時作動レバーに付与すべくばね受けに係止された反力生成ばね部とを備える。
【００２１】
その場合、二番車の規制部分にばねを設けなくてもよいので、構造が簡単化され、分車の回転の規制を確実に行い易い。
【００２２】
本発明の針合わせ機構では、典型的には、二番真係合部が針合わせのために二番真の回転を規制する十分な程剛性の高い腕部で支えられている。
【００２３】
その場合、二番車の規制部分に弱いばねを設けなくてもよいので、構造が簡単化され、分車の回転の規制を確実に行い易い。
【００２４】
本発明の針合わせ機構では、典型的には、前記剛性の腕部が、Ｌ字状に曲がった腕部からなる。
【００２５】
その場合、二番車の規制部分にばねを設けなくてもよいので、構造が簡単化され、分車の回転の規制を確実に行い易い。
【００２６】
本発明の針合わせ機構では、典型的には、二番真係合部と二番真との係合が発生していない状態では、三番かなと二番歯車とは、少なくとも部分的に係合されている。
【００２７】
その場合、針合わせの後、三番かなと二番歯車とが係合される際に、分針が振れるのを避け得る。
【００２８】
本発明の針合わせ機構では、典型的には、巻真を針合わせ位置から通常運針位置に引出す際に、二番真係合部による二番真の押圧が解除される前に、三番かなが二番歯車の自由回転を規制するように構成されている。
【００２９】
その場合、針合わせの後、三番かなと二番歯車とが係合される際に、分針が振れるのを避け得る。
【００３０】
本発明の針合わせ機構では、典型的には、三番真係合部が、三番真の端部を回転自在に支える軸受からなる。
【００３１】
その場合、作動レバーが三番真の一端を回転自在に確実に支え得る。
【００３２】
本発明の針合わせ機構では、典型的には、作動レバーが電池の一方の端子に電気的に接続されたリセット端子として働くように構成されている。
【００３３】
その場合、地板に沿って広い範囲に拡がる作動レバーが機械的及び電気的に時計の動作に寄与し得る。
【００３４】
本発明のアナログ時計は、前記目的を達成すべく、上述のような針合わせ機構を有する。
【図面の簡単な説明】
【００３５】
【図１】巻真が押込まれた通常運針位置（巻真ゼロ段目位置）にある際における本発明の好ましい一実施例の針合わせ機構を備えたアナログ時計の一部を示した平面説明図。
【図２】図１のアナログ時計の一部を拡大して示したもので、（ａ）は図１と同様な平面説明図、（ｂ）は（ａ）の断面部の端面説明図。
【図３】巻真が引出された針合わせ位置（巻真一段目位置）にある際における本発明の好ましい一実施例の針合わせ機構を備えたアナログ時計の一部を示した図１と同様な平面説明図。
【図４】図３のアナログ時計の一部を拡大して示したもので、（ａ）は図２の(ａ)と同様な平面説明図、（ｂ）は図２の（ｂ）と同様な断面部の端面説明図。
【図５】二番真の回転規制の作動／解除のタイミングと二番歯車部と三番かな部との係合の作動／解除のタイミングとの相対的な関係を示したもので、（ａ）は二番真の回転が強く規制され（二番真の回転規制が強く作動し）、二番歯車部と三番かな部との係合が解除されている（二番歯車部と三番かな部との係合の解除）状態を示した説明図、（ｂ）は二番真の回転が弱く規制され（二番真の回転規制が弱く作動し）、二番歯車部と三番かな部との係合が解除されているけれども係合に近い状態（二番歯車部と三番かな部との係合の解除）状態を示した説明図、（ｃ）は二番真の回転が極めて弱く規制され（二番真の回転規制が極めて弱く作動し）、二番歯車部と三番かな部とが軽く係合している（二番歯車部と三番かな部との係合の弱い作動）状態を示した説明図、（ｄ）は二番真の回転の規制が解除され（二番真の回転規制が解除され）、二番歯車部と三番かな部とが強く係合されている（二番歯車部と三番かな部との係合の強い作動）状態を示した説明図。
【図６】従来の針合わせ機構を備えた従来のアナログ時計の一部を示したもので、（ａ）は平面説明図、（ｂ）は断面説明図。
【図７】巻真が押込まれた通常運針位置（巻真ゼロ段目位置）にある際における図６の従来の針合わせ機構を備えた従来のアナログ時計の一部を拡大して示したもので、（ａ）は平面説明図、（ｂ）は断面説明図。
【図８】巻真が引出された針合わせ位置（巻真一段目位置）にある際における従来の針合わせ機構を備えた従来のアナログ時計の一部を拡大して示したもので、（ａ）は平面説明図、（ｂ）は断面説明図。
【発明を実施するための形態】
【００３６】
本発明の好ましい一実施の形態を添付図面に示した好ましい一実施例に基づいて説明する。
【実施例１】
【００３７】
図１並びに図２の（ａ）及び(ｂ)には、通常運針状態Ｓ１にある本発明の好ましい一実施例の針合わせ機構１を備えるアナログ時計２の一部が示されている。この通常運針状態Ｓ１では、巻真３がＡ１方向に押込まれた位置すなわち巻真ゼロ段目位置Ｐ１を採る。なお、アナログ時計２の針合わせ機構１が、針合わせ状態Ｓ２にあって、巻真３がＡ２方向に引出された位置すなわち巻真一段目位置Ｐ２を採る場合については、図３並びに図４の（ａ）及び(ｂ)に示されている。
【００３８】
アナログ時計２は、図１に加えてその一部を拡大した図２の（ａ）及びその断面の端面を表す図２の(ｂ)に示したように、地板１０及び輪列受１７等に支えられた運針用輪列６を備える。電池５により給電された時計用モータ７で駆動される運針用輪列６は、時車（筒車）２０と、分車（二番車）３０と、秒車（四番車）２３と、時車２０と分車３０とをつなぐ日の裏車２７と、分車３０と秒車２３とをつなぐ三番車４０と、時計用モータ７のロータ歯車部７ａと秒車２３とをつなぐ歯車部１９ａ及びかな部１９ｂを備えた五番車１９とを含む。
【００３９】
概ね厚板状の地板１０は、中央に二番真挿通孔としての貫通孔部１１を備え、地板１０の主面部としての裏蓋１８側の平面状表面１０ａのうち中央孔部１１の概ね円筒状の周壁部１２が裏蓋１８側に突出している。この円筒状凸部ないし円筒状周壁部１２はＬ１程度の高さを有すると共に、その周方向の一部に扇形の切欠部１３を有する。切欠部１３は、円筒状周壁部１２の径方向に見た場合、その内周面部１２ａから外周面部１２ｂまでの全領域が切欠かれてなる横断面が扇形で高さがＬ１の空間Ｖからなる。
【００４０】
中心軸線Ｃのまわりで回転自在な筒車２０は、地板１０の文字板８側に位置する筒歯車部２１と、先端に時針２０ａが取付けられた大径筒状部２２とを含む。
【００４１】
中心軸線Ｃのまわりで回転自在な分車３０は、地板１０の裏蓋１８側に位置する二番歯車部３１と、その更に裏蓋１８側に位置する二番かな部３２と、二番歯車部３１及び二番かな部３２と一体的で且つ地板１０の中央孔部１１内を回転自在に貫通して文字板８側に突出した二番真としての中径筒状部３３とを含む。中径筒状部３３の突出端には、分針３０ａが取付けられている。中径筒状部３３のうち地板１０の円筒状周壁部１２を貫通する長手方向部分３４は、円筒状周壁部１２の切欠部１３に対面する周方向領域３５で、露出している。この露出領域３５となる部位ないし長手方向部分３４は、三番かな部４２と噛合する二番歯車部３１及び日の裏歯車部２８と噛合する二番かな部３２として機能する歯部になっていない部分であれば、摩擦係合され易いように粗面化されていても、該粗面形状が比較的大きい凹凸によって実現されていてもよい。なお、露出される部位３５が粗面化されることなく比較的滑らかな面になっていてもよい。いずれの場合であっても、部位３４の横断面は実際上円形である。
【００４２】
中心軸線Ｃのまわりで回転自在な秒車２３は、輪列受１７に隣接する部位に位置する四番歯車部２４と、その地板１０側に位置する四番かな部２５と、一端で輪列受１７に回転自在に支持され四番歯車部２４及びかな部２５と一体的で筒状の二番真３３を回転自在に貫通して文字板８側に突出している四番真２６とを含む。四番真２６の突出端には秒針２３ａが取付けられている。
【００４３】
日の裏車２７は、日の裏歯車部２８で二番かな部３２に噛合され、日の裏かな部（図示せず）で筒歯車部２１に噛合されている。
【００４４】
一方、三番車４０は、三番歯車部４１で四番かな部２５に噛合されていて、三番かな部４２で二番歯車部３１に対して係脱可能ないし離脱可能に噛合される。三番歯車部４１及び三番かな部４２と一体的な三番真４３は、文字板８側の端部４４において可動な軸受部９０で支持されている。三番真４３の裏蓋１８側の端部は輪列受１８の軸受部１８ａで回転自在に支持されている。
【００４５】
針合わせ機構１は、巻真３によって作動される作動レバーとしての規正レバーないし規制レバー４を備える。なお、この規制レバー４は電池５の一方の端子に電気的に接続された金属製板状体からなり、リセットレバーとしても働く。
【００４６】
規制レバー４は、一端部５１において中心軸線ＢのまわりでＢ１，Ｂ２方向に回動自在に支持された概ね剛性の規制レバー本体部５０と、該規制レバー本体部５０の他端部５２にＢ２方向弾性偏倚力を与えている反力生成ばね部としての作動レバーばね部ないし規制レバーばね部６０と、規制レバー本体部５０に対してＢ１方向弾性偏倚力を与える入力側ばね部７０と、規制レバー本体部５０と一体的で二番車３０に回転規制力を与えるべく規制レバー本体部５０の中間の一部位５３から分岐して延びた二番車回転規制部８０と、規制レバー本体部５０の中間の別の一部位５４において三番真４２の端部ないしほぞ部４４を回転自在に支持する三番真係合部としての軸受部をなす三番真ほぞ受部９０とを有する。二番車回転規制部８０と三番真ほぞ受部９０とは、中心軸線Ｃについて直径方向の概ね反対側に位置する。なお、規制レバー４の本体部５０の部位５４においてほぞ受部９０よりも文字板８側に三番真４３のほぞ部４４が突出する虞れがある場合には、図２の（ｂ）や図４の（ｂ）に示したように、地板１０のうちほぞ受部９０に対面する可能性のある領域において、地板１０の表面１０ａに逃げとなる凹部１０ｂが形成される。
【００４７】
規制レバー４のばね部６０は、規制レバー本体部５０の端部５２につながった基端部６１から地板１０のばね受１４に係合する先端係合部６２までＵ字状に延びたＵ字状ばね本体部６３を備え、ばね受１４からのＢ２方向弾性偏倚力を規制レバー本体部５０の端部５２に及ぼす。
【００４８】
規制レバー４の入力側ばね部７０は、規制レバー本体部４の端部５１につながった基端部７１から巻真３の先端部３ａの側縁部３ｂに先端７３で係合する剛性の被係合部７４の基端部７５まで概ね直線状に延びた直線状ばね本体部７６を備え、巻真３がＡ２方向に押込まれた巻真ゼロ段目位置Ｐ１にある際に巻真３の先端部３ａの側縁部３ｂに被係合部７４の先端７３で係合してＢ１方向偏倚力を受け（図１及び図２の（ａ））、巻真３がＡ１方向に引出された巻真一段目位置Ｐ２を採ると、巻真３が被係合部７４から離れるので、被係合部７４が巻真３から受けるＢ１方向回動力が解除される（図３及び図４の（ａ））。
【００４９】
規制レバー４のうち入力側ばね部７０の被係合部７４以外の部分、即ち規制レバー本体部５０、直線状ばね本体部７６、及び規制レバーばね部６０は、全体として、地板１０の裏蓋１８側平面１０ａに沿って延在する平板の形態である。但し、所望ならば部分的に非平板状であってもよい。
【００５０】
規制レバー４の二番真係合部としての二番車回転規制部８０は、規制レバー本体部５０の部位５３から概ね直線状に延びる基部側腕部８１と、基部側腕部８１の先端部８２から、地板１０の円筒状周壁部ないし円筒状凸部１２の切欠部１３に露出した二番真３３の（露出）部分３５に向かって、概ね直角な方向に延びた先端側腕部８３とを有する。この例では、先端側腕部８３の方が基部側腕部８１よりも幅が広く、より剛性が高い。また、この例では、基部側腕部８１と先端側腕部８３とのなす角度は、９０度以下である。基部側腕部８１のばね力は、二番歯車の外周歯部を押えていた従来の規制部（図６〜図８の腕部１３４）のばね力よりもはるかに大きいけれども、規制レバーばね部６０のばね力よりも小さい。
【００５１】
巻真３がＡ１方向に押し込まれた通常運針位置（巻真ゼロ段目位置）Ｐ１を採る場合、規制レバーばね部６０よりもばね力の強い入力側ばね部７０のばね力の作用下で規制レバー４がＢ１方向に回動された通常運針位置Ｑ１に設定されるので、二番車回転規制部８０もＢ１方向に回動され、先端側腕部８３の先端部８４の端面８５は、円筒状凸部１２の切欠部１３内で二番真３３の筒状部３４の露出部位３５から遠ざかった離間位置Ｑ１１を採る（図１並びに図２の（ａ）及び（ｂ））。
【００５２】
一方、巻真３がＡ２方向に引き出された針合わせ位置（巻真一段目位置）Ｐ２を採る場合、規制レバーばね部６０のばね力の作用下で規制レバー４がＢ２方向に回動された針合わせ位置Ｑ２に設定されるので、二番車回転規制部８０もＢ２方向に回動され、先端側腕部８３の先端部８４の端面８５が円筒状凸部１２の切欠部１３内で二番真３３の筒状部３４の露出部位３５に押付けられる二番真規制位置Ｑ２１を採る（図３並びに図４の（ａ）及び（ｂ））。ここで、厳密には、二番車回転規制部８０のうち先端側腕部８３の先端部８４の端面８５が二番真係合部として働く。
【００５３】
なお、作動レバー４のうち三番真ほぞ受部９０についていえば、巻真３が通常運針位置（巻真ゼロ段目位置）Ｐ１を採り規制レバー４がＢ１方向に回動された通常運針位置Ｑ１を採る場合、規制レバー４の本体部５０の部位５４にある軸受部すなわち三番真ほぞ受部９０で三番真４３の端部４４が支持された三番車４０の三番かな部４２は、二番歯車３１に噛合された通常運針噛合位置Ｑ１２を採る（図１並びに図２の（ａ）及び（ｂ））。ここで、三番かな部４２が二番歯車３１と噛合する部位は、二番真係合部として働く二番車回転規制部８０の先端側腕部８３の先端面８５に対して概ね直径方向の反対側の部位である。
【００５４】
一方、巻真３が引出された針合わせ位置（巻真一段目位置）Ｐ２を採り規制レバー４がＢ２方向に回動された針合わせ位置Ｑ２を採る場合、三番車４０の三番かな部４２は、二番歯車３１から離れて該二番歯車３１との噛合が解除された噛合解除針合わせ位置Ｑ２２を採る（図３並びに図４の（ａ）及び（ｂ））。
【００５５】
以上の如く構成された本発明の好ましい一実施例の針合わせ機構１を備えた本発明の好ましい一実施例のアナログ時計２の針合わせ動作について、図１〜図４に加えて図５を参照して、より詳しく説明する。
【００５６】
巻真３がＡ１方向に押し込まれた通常運針位置（巻真ゼロ段目位置）Ｐ１を採る場合、規制レバーばね部６０よりもばね力の強い入力側ばね部７０のばね力の作用下で規制レバー４がＢ１方向に回動された通常運針位置Ｑ１に設定されるので、規制レバー４の本体部５０の部位５４にある軸受部９０で三番真４３の端部４４が支持された三番かな部４２が二番歯車３１と深く噛合した通常運針噛合位置Ｑ１２を採り、二番車回転規制部８０の先端側腕部８３の先端部８４の端面８５が、円筒状凸部１２の切欠部１３内で二番真３３の筒状部３４の露出部位３５から遠ざかった離間位置Ｑ１１を採る（図１、図２の（ａ）及び（ｂ）、並びに図５の（ｄ））。
【００５７】
一方、巻真３がＡ２方向に引き出された針合わせ位置（巻真一段目位置）Ｐ２を採る場合、規制レバーばね部６０のばね力の作用下で規制レバー４がＢ２方向に回動された針合わせ位置Ｑ２に設定されるので、規制レバー４の本体部５０の部位５４にある軸受部９０で三番真４３の端部４４が支持された三番かな部４２が二番歯車３１からＢ２方向に離れて該二番歯車３１との噛合が解除された噛合解除針合わせ位置Ｑ２２を採る。このとき、二番車回転規制部８０もＢ２方向に回動され、先端側腕部８３の先端部８４の端面８５が円筒状凸部１２の切欠部１３内で二番真３３の筒状部３４の露出部位３５に比較的強い力Ｆで押付けられる二番真規制位置Ｑ２１を採る（図３、図４の（ａ）及び（ｂ）、並びに図５の（ａ））。
【００５８】
時計２の針合わせ機構１においては、巻真３についての巻真一段目位置ないし針合わせ位置Ｐ２すなわち規制レバー４についての針合わせ位置Ｑ２では、巻真３の中心軸線ＥのまわりでのＥ１，Ｅ２方向の回転に応じて図示しないつづみ車や小鉄車を介して日の裏車２７が回転され、該日の裏車２７の回転に応じて時車（筒車）２０及び分車（二番車）３０が回転されて、時針２０ａ及び分針３０ａが所定位置に設定される。
【００５９】
より詳しくは、この状態Ｓ２では、規制レバーばね６０の作用下で規制レバー４の本体部５０が最大限Ｂ２方向に回動偏倚された位置Ｑ２３を採るので、二番車回転規制部８０の弾性変形（実際上、基端側腕部８１の弾性変形）がないとすると、先端側腕部８３は、図５の（ａ）において想像線８３ｉで示したように、二番真３３に対して深く入り込む位置を採るところ、基端側腕部８１が押付力Ｆの反作用Ｆを受けて多少弾性変形された状態で、先端側腕部８３の先端部８４の端面８５が二番真３３の露出部３５の円筒状周面３６に強く押付けられる。ここで、二番真３３の露出部３５の周面３６は、二番歯車３１と一体的な二番真３３の一部であるので、先端側腕部８３の先端部８４の端面８５が一旦二番真３３の露出部３５の円筒状周面３６に押付けられると、図８に示したような平歯車の形態の二番歯車の外周歯部に押付けられる場合とは異なり、当該押付部において確実に二番真３３の回転を規制し得る。また、先端側腕部８３の先端部８４の端面８５が押付けられるのが、二番歯車部の如き薄くて大径の歯車部の外周縁と異なり円筒状ないし棒状の二番真３３の外周部であるので、比較的大きな押付力Ｆで二番車３０を規制し得るから、回転規制が確実に行われ得る。更に、この時計２の針合わせ機構１では、規制レバー４の本体部５０の全体が二番車回転規制部８０の腕部８１，８３を含めて同一平面上に位置する板状体の形態であるので、図８のように二番真規制部が時計の厚さ方向に立ち上がった形状を有する場合と異なり、折曲部等の干渉を避けるための余分のスペースを要しないだけでなく、規制レバー４の力Ｆが該平面に沿って確実に二番真３３に加えられ得るから、回転規制が確実に行われ得る。
【００６０】
なお、図５の（ａ）の通常運針状態Ｓ１から図５の（ｄ）の針合わせ状態Ｓ２に至る過程については、次の通りである。
【００６１】
即ち、巻真３がＡ１方向に押し込まれた通常運針位置（巻真ゼロ段目位置）Ｐ１を採る通常運針状態Ｓ１（図１、図２の（ａ）及び（ｂ）、並びに図５の（ｄ））から巻真３がＡ２方向に引出されるにつれて、巻真３の先端部３ａの側縁３ｂと規制レバー４の入力側ばね部７０との係合が浅くなって規制レバー４の本体部５０が徐々にＢ２方向に回動されるから、該本体部５０の部位５３につながった二番車回転規制部８０も少しずつＢ２方向に回動されて該二番車回転規制部８０の先端側腕部８３の先端部８４の端面８５が三番真３３の露出部３５に徐々に近付き、ついには、先端側腕部８３の先端部８４の端面８５が三番真３３の露出部３５に当接する（図５の（ｃ））。一方、規制レバー４の本体部５０のＢ２方向回動につれて、該本体部５０の部位５４の軸受部９０で支持された三番真４３の三番かな部４２も少しずつＢ２方向に回動されて、三番かな部４２と二番歯車部３１との噛合いが徐々に浅くなるけれども、図５の（ｃ）に示したように、先端側腕部８３の先端部８４の端面８５が三番真３３の露出部３５に当接した状態Ｓ３では、三番かな部４２の歯４６と二番歯車部３１の歯３７との係合ないし噛合いが僅かではあるけれども残っている。従って、二番車３０の回転は、三番かな部４２によって実際上規制されたままである。
【００６２】
図５の（ｃ）に示した状態Ｓ３からから巻真３が更にＡ２方向に引出されると、巻真３の先端部３ａの側縁３ｂと規制レバー４の入力側ばね部７０との係合が更に浅くなって規制レバー４の本体部５０が更にＢ２方向に回動されるから、該本体部５０の部位５４の軸受部９０で支持された三番真４３の三番かな部４２も少しずつＢ２方向に回動されて、三番かな部４２の歯４６と二番歯車部３１の歯３７との噛合いが徐々に浅くなって、ついには、図５の（ｂ）に示したように、歯４６，３７間の係合が実際上なくなる状態（歯４６，３７の頂点が当接する状態）Ｓ４に達する。図５の（ｃ）に示した状態Ｓ３から図５の（ｂ）に示した状態Ｓ４に至る間に、規制レバー４の本体部５０が多少Ｂ２方向に回動され、二番車回転規制部８０が剛体であればこの回動により二番車回転規制部８０の先端側腕部８３が図５の（ｂ）において想像線８３ｉで示す位置に達すべきところ基端側腕部８１の弾性変形により、先端側腕部８３の先端部８４の端面８５が三番真３３の露出部３５の周面３６に当接した状態に保たれる。なお、ここで生じた基端側腕部８１の弾性変形に伴う押付力によって先端側腕部８３の先端部８４がその端面８５で三番真３３の露出部３５の周面３６に押付けられるので、歯車部４２，３１の噛合による規制はなくなっても、二番真３３の回転は、それなりに規制され得る。
【００６３】
この後、図５の（ｂ）の状態Ｓ４から図５の（ａ）の状態Ｓ２に至るまで、歯車部４２，３１の噛合による規制はなく、先端側腕部８３の先端部８４の端面８５が三番真３３の露出部３５の周面３６に押付けられる押付力が増大することになる。
【００６４】
以上のとおり、このアナログ時計２の針合わせ機構１では、図５の（ａ）の針合わせ状態Ｓ２で針合わせを行った後、図５の（ｃ）のように係合が進んで二番車３０の不測の自由回転が三番車自体により規制されるようになる（そのまま通常運針状態Ｓ１に入る直前）まで、二番車３０の回転が作動レバー４の二番車回転規制部８０によって規制されるので、針合わせの後通常運針が開始される前に分針の不測の振れが生じる虞れが最低限に抑えられ得る。
【符号の説明】
【００６５】
Ａ１，Ａ２  方向
Ｂ，Ｃ  中心軸線
Ｂ１，Ｂ２  回動方向
Ｆ  押付方向力（及び反作用）
Ｐ１  通常運針位置（巻真ゼロ段目位置）
Ｐ２  針合わせ位置（巻真一段目位置）
Ｌ１  高さ
Ｑ１  通常運針位置
Ｑ１１  離間位置
Ｑ１２  通常運針噛合位置
Ｑ２  針合わせ位置
Ｑ２１  二番真規制位置
Ｑ２２  噛合解除針合わせ位置
Ｑ２３  作動レバー本体部の最大回動偏倚位置
Ｓ１  通常運針状態
Ｓ２  針合わせ状態
Ｓ３，Ｓ４  状態
Ｖ  空間
１  針合わせ機構
２  アナログ時計
３  巻真
３ａ  先端部
３ｂ  側縁部
４  規制レバー（作動レバー）
５  電池
６  運針用輪列
７  時計用モータ
７ａ  ロータ歯車部
８  文字板
１０  地板
１０ａ  表面（主面部）
１０ｂ  凹部
１１  （中央）孔部（二番真挿通孔）
１２  （円筒状）周壁部（凸部）
１２ａ  内周面部
１２ｂ  外周面部
１３  切欠部
１４  ばね受
１７  輪列受
１８  裏蓋
１９  五番車
１９ａ  五番歯車部
１９ｂ  五番かな部
２０  時車（筒車）
２０ａ  時針
２１  筒歯車部
２２  大径筒状部
２３  秒車（四番車）
２３ａ  秒針
２４  四番歯車部
２５  四番かな部
２６  四番真
２７  日の裏車
２８  日の裏歯車部
３０  分車（二番車）
３０ａ  分針
３１  二番歯車部
３２  二番かな部
３３  中径筒状部（二番真）
３４  長手方向部分
３５  （露出）周方向領域（露出部位）
３６  円筒状周面
４０  三番車
４１  三番歯車部
４２  三番かな部
４３  三番真
４４  端部
５０  規制レバー本体部（作動レバー本体部）
５１，５２  端部
５３，５４  部位
６０  規制レバーばね部（反力生成ばね部）
７０  入力側ばね部
８０  二番車回転規制部
８１  基部側腕部
８２  先端部
８３  先端側腕部
８３ｉ  先端側腕部の仮想変位位置（状態）
８４  先端部
８５  端面
９０  軸受部（三番真係合部）
【図１】
0005792641.tif 000002
【図２】
0005792641.tif 000003
【図３】
0005792641.tif 000004
【図４】
0005792641.tif 000005
【図５】
0005792641.tif 000006
【図６】
0005792641.tif 000007
【図７】
0005792641.tif 000008
【図８】
0005792641.tif 000009